(57)【要約】【課題】楽な姿勢で簡単に装着することができる防草部材を提供する。【解決手段】植物が生え得る場所に設けられた柱状物１１の根元部分に装着され、その柱状物１１の根元周囲の地表面を覆うことによってその部分における植物の成長を阻害するようにした防草部材１であって、少なくとも二枚の合成樹脂製の基板間に合成樹脂製の中芯を有する平板状のプラスチック段ボール２で形成され、そのプラスチック段ボール２に柱状物１１の根元形状に略合致する装着孔３を設けると共に、その装着孔３から自己の外縁４に達する切断線５を設けてなる。この防草部材１は、切断線５を挟んで両側に面と直交する方向に相反する方向の力を加えることで隙間ができるため、その隙間に柱状物１１を入れて装着孔３に到達させれば、自己の弾性により切断線５が閉じて外れなくなる。したがって、無理のない楽な姿勢で簡単に装着することができる。【選択図】        図４
2016032371.tif 000002
【特許請求の範囲】
【請求項１】
植物が生え得る場所に設けられた柱状物の根元部分に装着され、その柱状物の根元周囲の地表面を覆うことによってその部分における植物の成長を阻害するようにした防草部材であって、
少なくとも二枚の合成樹脂製の基板間に合成樹脂製の中芯を貼り合わせるか又は一体成形してなる平板状のプラスチック段ボールで形成され、
そのプラスチック段ボールに前記柱状物の根元形状に略合致する装着孔を設けると共に、その装着孔から自己の外縁に達する切断線を設けてなることを特徴とする防草部材。
【請求項２】
前記プラスチック段ボールの端面が前記外縁に露出するようになっていることを特徴とする請求項１記載の防草部材。
【請求項３】
前記プラスチック段ボールの中芯は、一定方向に間隔を置いて平行に並べた多数のリブで形成されており、
一方、前記切断線は、前記プラスチック段ボールの前記中芯のリブとほぼ平行に設けられていることを特徴とする請求項１又は２に記載の防草部材。
【発明の詳細な説明】
【技術分野】
【０００１】
本発明は、柱状物の根元周囲に草を生えさせないようにするための防草部材に関する。
【背景技術】
【０００２】
一般に、田畑や道路脇などの除草作業には、図５に示したような刈払機１００が使われる。この刈払機１００は、操作ハンドル１０１を有する主軸１０２と、その主軸１０２の先端に装着した回転刃１０３と、前記主軸１０２の後端に設置した回転刃駆動用の駆動装置１０４と、からなる。
しかし、田畑には、イノシシなどによる獣害を防止するために電気柵が設けられている場合があり、そのような電気柵の支柱に刈払機１００の回転刃１０３を誤って接触させると、電気柵の支柱を損傷させ又は回転刃１０３自体を損傷させるおそれがある。したがって、支柱の周囲の除草作業は、面倒でも手作業で行う必要がある。かかる問題は、道路脇のガードレールの支柱の周りや、電柱の周りでも起こり得る。
【０００３】
上記の問題点に対し、雑草が生え得る場所に設けられた柱状部材の根元の周囲の地表面を覆うことによってその部分における雑草の成長を阻害するようにした防草部材が、例えば特許文献１に記載されている。
この従来の防草部材は、電柱に装着するカバーであって、円筒状で軸方向に沿って少なくとも一箇所が切り込まれていてそこから開き得る電柱被覆部と、その電柱被覆部の下端部の外周縁に沿って設けられた鍔状の地表面被覆部と、前記電柱被覆部を締めるための結束バンド（締結手段）と、からなる。
【先行技術文献】
【特許文献】
【０００４】
【特許文献１】特許第２９６３０８９号公報
【発明の概要】
【発明が解決しようとする課題】
【０００５】
従来の防草部材は、電柱に装着して結束バンドで締めるようにしていたため作業性が悪い。しかも、電柱に装着するときの結束バンドは、ほぼ地表面の高さにあって腰を落とすか前屈みの姿勢で締付け作業を行う必要があるため、腰や膝への負担が大きい、等の問題があった。
【０００６】
本発明は、上記に鑑みなされたもので、その目的は、楽な姿勢で簡単に装着することができる防草部材を提供することにある。
【課題を解決するための手段】
【０００７】
上記の目的を達成するため本発明は、請求項１に記載したように、植物が生え得る場所に設けられた柱状物の根元部分に装着され、その柱状物の根元周囲の地表面を覆うことによってその部分における植物の成長を阻害するようにした防草部材であって、
少なくとも二枚の合成樹脂製の基板間に合成樹脂製の中芯を貼り合わせるか又は一体成形してなる平板状のプラスチック段ボールで形成され、
そのプラスチック段ボールに前記柱状物の根元形状に略合致する装着孔を設けると共に、その装着孔から自己の外縁に達する切断線を設けてなる防草部材を提供する。
【０００８】
また、請求項２に記載したように、前記プラスチック段ボールの端面が前記外縁に露出するようになっている請求項１記載の防草部材を提供する。
【０００９】
また、請求項３に記載したように、前記プラスチック段ボールの中芯は、一定方向に間隔を置いて平行に並べた多数のリブで形成されており、
一方、前記切断線は、前記プラスチック段ボールの前記中芯のリブとほぼ平行に設けられている請求項１又は２に記載の防草部材を提供する。
【発明の効果】
【００１０】
本発明の防草部材は、柱状物の根元周囲の地表面を覆うことによって、その部分における植物の成長を阻害することができる、つまり柱状物の根元周囲に植物が生えないようにすることができる。したがって、柱状物の根元周囲の除草作業が不要になるため、刈払機の回転刃を柱状物に近づける必要がなくなるから、回転刃で柱状物を損傷させたり、回転刃自体を損傷させる事故を減少させることができる。
また、本発明の防草部材は、切断線を挟んで両側に、面と直交する方向に相反する方向の力を加えることで切断線に隙間ができるため、その隙間に柱状物を入れて装着孔に到達させれば、プラスチック段ボールの弾性により切断線が自動的に閉じて外れなくなる。したがって、本発明の防草部材は、無理のない楽な姿勢で簡単に装着することができる。
【００１１】
また、請求項２のように、プラスチック段ボールの端面を外縁に露出させておくようにすれば、プラスチック段ボールの中空部分に固定用の金具等を差し込んで安定させることが可能になる。
【００１２】
また、請求項３のように、防草部材の切断線を中芯のリブとほぼ平行な方向に設けておけば、切断線の切り口に片持ち梁状に切れた基板が臨むため、切断線を開いて柱状物を通す際に、その柱状物と撓んだ基板が擦れ合って滑りやすくなるから比較的スムーズに柱状物を通すことができる。
【図面の簡単な説明】
【００１３】
【図１】一部を断面にした斜視図である。
【図２】一部を断面にした平面図である。
【図３】（ａ）は一部拡大図を含む正面図、（ｂ）は切断線を開いて隙間を開いた状態を示す正面図である。
【図４】使用状態を示す斜視図である。
【図５】刈払機を示す斜視図である。
【発明を実施するための形態】
【００１４】
以下に本発明の実施の形態を図面を参照しつつ説明する。
本発明の防草部材１は、図４に示したように、田畑の周囲を囲う電気柵１０の支柱１１に装着して使用するものである。したがって、電気柵１０の支柱１１は、植物（雑草）が生え得る場所に設けられた柱状物に相当する。
【００１５】
防草部材１は、黒色のプラスチック段ボール２を図示したように円形に加工したもので、中心に円形の装着孔３を有すると共にその装着孔３から外縁４に達する径方向の切断線５が設けられている。前記装着孔３は、柱状物たる電気柵１０の支柱１１とほぼ同径である。
【００１６】
前記プラスチック段ボール２は、二枚の合成樹脂（例えば「ポリプロピレン」。）製の基板（「ライナー」とも称される。）６，６間に合成樹脂製の中芯７を貼り合わせるか又は一体成形してなる中空構造である。また、プラスチック段ボール２の中芯７は、一定方向に間隔を置いて平行に並べた多数のリブ７ａ，７ａ…で形成されている。そして、防草部材１の外縁４は、プラスチック段ボール２の端面、つまりリブ７ａ，７ａ…の端面が、そのまま外部に露出するようになっている。
【００１７】
前記切断線５は、前記のように装着孔３から外縁４に達する径方向の切り込みであり、プラスチック段ボール２の前記リブ７ａ，７ａ…とほぼ平行に設けられている。なお、切断線５と外縁４が交わる角部には弧状部１ｒ，１ｒが形成されており、この弧状部１ｒ，１ｒにより切断線５の後述する隙間８の形成が安全に行えるようになっている。
【００１８】
本発明の防草部材１は、以上のように構成されているため、図３（ｂ）のように、切断線５の左側を面方向と直交する上方向に、同じく右側を下方向に、というように相反する方向の力を加えることで切断線５に隙間８ができる。なお、斯かる力を加えても、切断線５の先には装着孔３があってそこで力が分散されるため、余程大きな力を加えない限り防草部材１が裂けるおそれはない。
しかして、防草部材１の前記隙間８に電気柵１０の支柱１１を嵌めて、相対的に支柱１１を奥に押し入れるようにすれば、支柱１１の進行によって隙間８が広がり、最終的に装着孔３に支柱１１が嵌まる。そうするとプラスチック段ボール２の弾性により切断線５の前記隙間８が自動的に閉じるため、防草部材１が支柱１１から外れない。また、切断線５の隙間８に支柱１１を通すとき、プラスチック段ボール２と支柱１１の間に摩擦が発生するが、実施形態のように防草部材１の切断線５を中芯７のリブ７ａとほぼ平行な方向に設けておけば、図３（ａ）の拡大図に想像線で示したように、切断された基板６が片持ち梁状になって撓み得るため、そうして撓んだ基板６と支柱１１が擦れ合うことで、換言すれば硬いエッジと支柱１１とが擦れ合わないことで滑りやすくなって比較的スムーズに支柱１１を通すことができる。
【００１９】
以上により電気柵１０の支柱１１への防草部材１の装着は完了するが、さらに防草部材１を確実に固定する必要がある場合は、防草部材１の外縁に露出するプラスチック段ボール２のリブ７ａ，７ａ間に、図１の想像線に示した逆Ｌ字型の止め金具９の水平部９ａを差込むと共に、その止め金具９の垂直部９ｂを地面に差し込めばよい。
【００２０】
以上、本発明を実施の形態について説明したが、もちろん本発明は上記実施形態に限定されるものではない。例えば、実施形態では柱状物として電気柵１０の支柱１１を例示したが、それ以外にも電柱又は電柱のワイヤー支線、街路灯の支柱、標識の支柱、カーブミラーの支柱、ガードレールの支柱など、植物が生え得る場所に設けられている柱状物であれば適用可能である。
また、実施形態のプラスチック段ボール２は、基板６，６間に中芯７が一体成形されたものを示したが、基板６，６間に中芯７を貼り合わせるようにしたものでもよい。
また、プラスチック段ボール２の中芯７は、多数のリブ７ａ，７ａ…の他、紙製段ボールのような波形芯や、周知の気泡シートのような円形の芯であってもよい。
また、実施形態では、防草部材１の形状を円形にしたが、それ以外にも六角形、八角形、その他の多角形、さらには楕円形でもよい。
また、プラスチック段ボール２は、例えば基板６を三枚にして中芯７を二段にした複層構造のものであってもよい。
【符号の説明】
【００２１】
１  …防草部材
２  …プラスチック段ボール
３  …装着孔
４  …外縁
５  …切断線
６，６  …基板
７  …中芯
７ａ，７ａ  …リブ
１１  …支柱（柱状物）
【図１】
2016032371.tif 000003
【図２】
2016032371.tif 000004
【図３】
2016032371.tif 000005
【図４】
2016032371.tif 000006
【図５】
2016032371.tif 000007